(57)【要約】      （修正有）【課題】機能の設定状況を瞬時に確認でき、併せて操作性に優れる設定手段を備えたテレビレンズを提供する。【解決手段】テレビカメラ本体に着脱自在なテレビレンズにおいて、該テレビレンズの撮影に関する各種の機能あるいはレンズ情報等を表示する表示手段（９−１）と、該表示手段に表示されたレンズの撮影に関する各種の機能の選択あるいはレンズ情報の設定等を行う選択設定手段（１０−１）と、を有するテレビレンズを構成する。【選択図】            図１
2004294685.tif 000002
【特許請求の範囲】
【請求項１】
テレビカメラに着脱自在なテレビレンズにおいて、
前記レンズの撮影に関する各種の機能あるいはレンズ情報等を表示する表示手段と、該表示手段に表示されたレンズの撮影に関する各種の機能の選択あるいはレンズ情報の設定等を行う選択設定手段と、を有することを特徴とするテレビレンズ。
【発明の詳細な説明】
【０００１】
【発明の属する技術分野】
本発明は、テレビジョン撮影に用いられるテレビレンズに関するものである。
【０００２】
【従来の技術】
テレビジョン撮影に用いられる撮影装置は、テレビカメラ本体とテレビレンズで構成され、テレビレンズをテレビカメラに装着して使用する。
このうちテレビレンズは、レンズ本体部とドライブユニットに大別され、レンズ本体部には、撮影光学系とそれをマニュアル操作するためのマニュアルリングがある。
また、ドライブユニットには、これらマニュアルリングを電動駆動するための、モータや制御基板、ＣＰＵが内部に格納され、外装面には電動制御を指示する各種スイッチや、操作部材が設けられている。
【０００３】
テレビレンズは、以前はマニュアルによるズームやアイリス操作が撮影の大半を占めていたが、最近では電動サーボによる撮影も頻繁に行われるようになり、ドライブユニットにも様々な機能が付加されている。例えば任意のズーム位置を一度記憶すると、スイッチを押すことで記憶したズーム位置までモータ駆動するプリセット機能や、またこのプリセット機能をドライブユニット上の複数あるスイッチの中で、ユーザが自分の好きな位置のスイッチに自由に設定できる機能などがある。
こうした様々な機能を設定する手段は、ドライブユニット内部にディップスイッチを設け、カメラマンが撮影状況に応じてドライブユニット外装面に設けたゴムキャップを外し、ディップスイッチを設定している。
このようにして設定できるこれらの機能は、カメラマンの撮影の幅を広げ、様々な撮影状況に応じて、最適なカメラワークを実現することを可能にしている。
【０００４】
また、前記テレビレンズとは異なるタイプのテレビレンズとして、撮像光学系とそれらを電動駆動するための電動駆動装置が内蔵された箱型のテレビレンズがある。
このような箱型のテレビレンズは、電動駆動装置を操作するためのコントローラがケーブルを介して接続されており、カメラマンがズーミングを行う場合には、テレビレンズと接続したズームコントローラ上の操作リングを操作してズーミングを行う。その際、操作リングの倒し角度に応じたズーム速度は、ズームカーブといった形で表され、ズームカーブのカーブ特性は、ユーザーの好みに応じてズームコントローラ上の操作スイッチを用いて変更可能となっている。
【０００５】
【発明が解決しようとする課題】
しかしながら、従来のドライブユニットを装着するテレビレンズにおいては、レンズの機能設定部がドライブユニットの内部にあるため、機能の設定状況をひと目で見ることができず、設定状態を確認するためにゴムキャップを外さなければならないという操作上の煩雑性が伴うこととなる。
また、ドライブユニット内部に設けた小さいディップスイッチを覗き込む行為は視認性に欠け、設定状態を瞬時に理解することが難しいと同時に、指先で操作部の小さいディップスイッチの設定を切換えるという行為は操作上難点がある。特に十分な光がない環境下で、ディップスイッチを確認しながら操作する行為は極めて困難なものである。
また、複数のカメラマンが一台の撮影機材を共有するテレビレンズ特有の使用環境においては、前に使用したカメラマンの設定状況を容易かつ瞬時に把握できることが非常に大切であり、従来のテレビレンズではこうした要求に応えることが困難であった。今後、益々複雑化するテレビレンズにおいて、その設定状況等を瞬時に把握でき、さらに操作性に優れた設定手段を併せ持つことが、これからのテレビレンズの課題となっている。
【０００６】
また、箱型のレンズにおいても、多様化するユーザーの要求に応えるために、ズームコントローラ上の操作スイッチを、従来以上に増やす必要があり、スイッチが増えることにより操作が判り難くなることや、コストが高くなる点が懸念されている。
【０００７】
そこで、本発明は、テレビレンズを制御する上での各種設定状況あるいはレンズ情報等を瞬時に把握することができ、操作性に優れた機能の設定が可能となるる、使い勝手の良いテレビレンズを提供することを目的としている。
【０００８】
【課題を解決するための手段】
本発明は、テレビカメラに着脱自在なテレビレンズにおいて、前記レンズの撮影に関する各種の機能あるいはレンズ情報等を表示する表示手段と、該表示手段に表示されたレンズの撮影に関する各種の機能の選択あるいはレンズ情報の設定等を行う選択設定手段とを有するテレビレンズを構成したものである。これにより、レンズの撮影に関わる機能を設定する機能設定手段と、それに用いる表示パネルを、テレビレンズの各々の必要個所に配置する構成を採ることにより、テレビレンズの撮影に関わる機能の設定状況を容易かつ瞬時に把握でき、さらに操作性に優れた機能の設定手段を併せ持つ、使い勝手の良いテレビレンズを提供することが可能となる。
【０００９】
【発明の実施の形態】
本発明の実施の形態について、以下の実施例により説明する。
【００１０】
【実施例】
［実施例１］
本発明の実施例１におけるテレビレンズを、図に基づいて詳細に説明する。図１及び図２はテレビレンズの全景を表したものである。
これらの図において、１はレンズ本体で、内部には撮影光学系があり、外側には、フォーカス、ズーム、アイリスを手動で操作するためのマニュアルリングがある。
２はレンズ本体１に着脱自在に取付けられるドライブユニットで、内部にはマニュアルリングを電動駆動するための図示しないモータや、制御基板、ＣＰＵ等が格納されている。
３はズームをサーボ駆動する時に操作するシーソースイッチで、図中Ｔの方向あるいはＷの方向にスイッチを押し込むと、押し込み量に応じたスピードで、ズームがテレ方向、あるいはワイド方向へ変化する。
４はスイッチ操作に応じてカメラへ信号を送り返すリターンスイッチであり、また図２に示される５は録画のトリガーとなるＶＴＲスイッチである。
【００１１】
カメラマンが、ドライブユニット２を右手でホールドする時は、通常人差し指でリターンスイッチ４を、親指でＶＴＲスイッチ５を操作する。これらシーソースイッチ３、リターンスイッチ４、ＶＴＲスイッチ５は、テレビ撮影に関わる最も基本的なスイッチで、テレビレンズの操作性を継承する観点から、テレビレンズの長い歴史の中でも昔から変わらずに図示した位置に配置される。
【００１２】
６は機能スイッチＡで、レンズを用いた撮影に関わる様々な機能の中からひとつをこの機能スイッチＡに割り当てることが可能である。例えば、プリセット機能をこのスイッチに割り当てると、カメラマンはメモリースイッチ７と同時に機能スイッチＡを押すことで現在のズーム位置が記憶できる。その後ズームがいかなる位置にある場合でも、この機能スイッチＡを押すことで、ズームを記憶した位置に戻すことができる。
【００１３】
また、図２に示される８は機能スイッチＢで、レンズの撮影に関わる様々な機能の中から一つをこの機能スイッチＢにも割り当てることが可能である。例えばこの機能スイッチＢを押すことでズームが往復動作する機能をこのスイッチに割り当てると、カメラマンは機能スイッチＢを押し続けるとレンズは望遠端までズーミングし、深度の浅い望遠端でフォーカス合わせをした後で機能スイッチＢから手を離すと元のズーム位置に戻すことができ、ピントの合わせのアシスト機能として利用することができる。
これらの機能スイッチは、カメラマンがレンズをマニュアル操作する際に、スイッチを誤操作して突然ズームが動き出すことのないように、機能スイッチＡあるいは機能スイッチＢを押しても、機能することのないように設定することも可能である。
９−１はドライブユニット２の上面に設けた液晶による表示パネル、１０−１はレンズの撮影に関わる様々な機能を設定するための機能設定スイッチ、１１−１は表示スイッチである。本実施例では、このように表示スイッチ１１−１を含む表示パネル９−１と機能設定スイッチ１０−１とがドライブユニット２の上面に設けられている。
【００１４】
図３および図４は、表示パネル９−１と機能設定スイッチ１０−１を拡大して表したものである。図３の９ａはドライブユニットの各スイッチにどの機能が割り当てられているかを表示パネルで表示した一例である。
機能スイッチＡは図中のＦＵＮＣ  Ａ、機能スイッチＢは図中ＦＵＮＣ  Ｂに相当し、それぞれプリセット機能（Ｐｒｅｓｅｔ）と往復動作機能（Ｓｈｕｔｔｌｅ）が割り当てられている。
ＶＴＲスイッチとリターンスイッチにも機能の割り当てが可能だが、ここではスイッチ本来の機能を設定している。ユーザはこの画面を見て、現在のレンズの設定状況を確認することができる。
【００１５】
機能を各スイッチに割り当てるには、図４に示した機能設定スイッチ１０−１で行う。機能設定スイッチ１０−１は図中１０ａから１０ｄの４つの矢印キーとひとつのセットキー１０ｅで構成され、表示パネル９−１に表示される階層メニューに沿って、１０ａから１０ｄの４つの矢印キーでカーソルを移動して、複数ある機能の中から一つを選択し、セットキー１０ｅで確定する。
【００１６】
図５の９ｂは表示パネルの別の表示内容を表したものである。
機能設定スイッチ１０−１を用い、スイッチの誤操作防止を目的に、機能スイッチＡ及び機能スイッチＢに、機能を何も割り当てない時の表示例（ＯＦＦ）を表している。このように表示パネル９−１と機能設定スイッチ１０−１を組み合わせて使うことで、レンズ動作に関わる機能を判りやすく設定し、また確認することができる。
また、本実施例に示すように、表示パネル９−１と機能設定スイッチ１０−１をドライブユニットの同一面近傍に配置することは、機能を設定するうえで視認性と操作性を確保することができる。図中１１は表示パネル９−１の表示をＯＮ／ＯＦＦする表示スイッチで、必要な時だけ表示パネル９−１を点灯する構成にすることで消費電力を低減している。
【００１７】
図６の９ｃは表示パネル９−１を用いて、電動ズームの時に操作するシーソースイッチ３の特性を設定する時の表示画面を表している。電動ズームはシーソースイッチ３の押し込み量に応じてズームスピードが変化し、押し込み量を最大にするとズームスピードは最高速でズームする一方、押し込み量を小さい時にはスローでズームする。この時の押し込み量とズーム速度の関係をカメラマンは表示パネル９−１と機能設定スイッチ１０−１を用いて任意に設定することができる。
【００１８】
図６の表示画面において、横軸はシーソースイッチ３の押し込み量、縦軸はズーム速度を表し、シーソースイッチの押し込み量とズーム速度の代表的な３つの関係をそれぞれ１１ａ、１１ｂ、１１ｃの曲線で表示している。この中で１１ａはズームのスロー特性を重視した設定で、シーソースイッチを操作すると緩やかにズームし始めると同時に、低速域ではシーソースイッチを操作しても速度の変化量が少ないので、微妙ないスロー速度の設定が容易に行うことができる。一方１１ｃはズームの高速特性を重視した設定で、シーソースイッチを操作すると急激に動作するが、高速域でのスピード設定を容易に行うことが出来る。
１１ｂは１１ａと１１ｃの中間の設定である。１１ｄはズーム特性を設定する数値を入力するエリアで、１１ａの特性を１、１１ｂの特性を５、１１ｃの特性を１０とした時、カメラマンは１から１０までの１０通りの数字の中から機能設定スイッチ１０ａ及び１０ｃを用いて所望の数値を選択し、１０ｅの確定キーを押すことでカメラマンが好みのズーム特性に確定する。
【００１９】
このように、テレビレンズにレンズの動作特性に関わる機能を設定するための表示パネル９−１と機能設定スイッチ１０−１を設けることにより、従来のレンズのようにドライブユニットに設けたゴムキャップを外してドライブユニット内部のディップスイッチで設定するという煩雑な操作から解放される。
また、表示パネルの文字情報に沿って機能の設定ができるので、判りやすく操作性に優れた機能設定が可能となり、同時に暗い環境下においても容易に設定状況を視認することができる。
さらに、複数のカメラマンが一台の撮影機材を共有するテレビレンズ特有の使用環境においても、前に使用したカメラマンの設定状況を容易かつ瞬時に把握することができるので、機能の設定状況を把握せずに使用して思わぬトラブルに陥る危険を回避することができる。
【００２０】
また、ドライブユニット２の中には、レンズを駆動するための図示しないモータやＣＰＵが格納され、表示パネル９−１及び機能設定スイッチ１０−１はＣＰＵと信号接続する必要があるので、表示パネル９−１と機能設定スイッチ１０−１をドライブユニット２の中に設けることは、ＣＰＵとの配線の引き回しを容易に行うことができるメリットがある。
【００２１】
また、マニュアルのみで撮影するために、マニュアル撮影時には特に必要のないスイッチ類や機能設定スイッチ１０−１及び表示パネル９−１がテレビレンズに具備されること自体を好まないカメラマンに対しては、レンズ本体１に対して着脱自在であるドライブユニット２を、撮影に最低必要なスイッチを備えたドライブユニットに容易に交換することできるので、表示パネル９−１及び機能設定スイッチ１０−１をドライブユニット２に設けることは、レンズ本体１を共通の母体として、ドライブユニットを交換するだけでカメラマンの望む仕様に応じたテレビレンズが構成できるメリットがある。
【００２２】
［実施例２］
本発明の実施例２を図７及び図８に基づいて詳細に説明する。
図７及び図８はテレビレンズの全景を表したものであり、破線で示した１２はレンズ本体１を装着するテレビカメラで、レンズ本体１の撮像光学系を通過した光信号は、テレビカメラ１２の内部にある図示しないＣＣＤを介して映像信号に変換される。
【００２３】
本実施例では、図７及び図８に示されているように、表示スイッチ１１−２を含む表示パネル９−２と機能設定スイッチ１０−２とをドライブユニット２のカメラ側の側面に設けるようにしたものである。
前述した実施例１のものにおいては、表示パネル９−１と機能設定スイッチ１０−１とがドライブユニット２の上面に設けられていたのに対して、本実施例では表示パネル９−２と機能設定スイッチ１０−２とをドライブユニット２のカメラ側の側面に設けるようにしたものであり、実施例１とはこのようにドライブユニット２に対する表示パネルと機能設定スイッチの配置位置が相違するだけで、その他は全く同様とされている。すなわち、本実施例の表示パネル９−２と機能設定スイッチ１０−２の機能自体は、実施例１の表示パネル９−１と機能設定スイッチ１０−１と同様のものである。また、その他の図７及び図８において図１及び図２と同一の符号が付されている構成部及び図３〜図６で示された構成部等も、実施例１と同様であるので、これらについての説明は省略し、実施例１と相違する点についてのみ、以下に説明する。
【００２４】
本実施例は、上記したように表示パネル９−２と機能設定スイッチ１０−２とをドライブユニット２のカメラ側の側面に設けるようにしたものであるが、このように表示パネル９−２と機能設定スイッチ１０−２が、被写体とは反対方向であるドライブユニット２のカメラ側の側面に設けられることにより、表示パネルの表示光が直接被写体に照射することがないので、被写体に気が付かれずに撮影する必要のある夜間撮影の時にも支障をきたすことはない。
【００２５】
また、近接撮影時においても被写体に反射した表示パネルの光が映像に映り込むことのない撮影が可能となる。
また、屋外で撮影する場合においても、表示面が上面でないために直射日光により表示面が見にくくなることがない利点もある。
さらに、本実施例に示したように表示パネル９−２と機能設定スイッチ１０−２をドライブユニット２のカメラ側の側面上部に設けることにより、カメラマンはカメラのビューファインダ１３を覗き込む時と同様の撮影状態の姿勢で、表示パネル９−２の表示内容を図７のＸ方向から容易に確認することができるので、撮影しながら容易に表示内容を確認することが出来る。
【００２６】
さらに、機能設定スイッチ１０−２を図に示すように、ＶＴＲスイッチ５と同一面かつＶＴＲスイッチ５の上側に配置することにより、通常の撮影で頻繁に使用するＶＴＲスイッチ５及びリターンスイッチ４を操作する上で妨げとならないようにしている。
また、ＶＴＲスイッチ５の上側に配置することで、ドライブユニット２を右手でホールドした時には機能スイッチ１０−２に指が届きにくいため、誤って機能スイッチ１０−２を操作することによる誤設定を防ぐこともできる。
【００２７】
［実施例３］
図９は本発明による実施例３を表したものである。
本実施例では、表示スイッチ１１−３含む表示パネル９−３と機能設定スイッチ１０−３を、ドライブユニット２を手のひらで支える時にホールドするホールド面２ａに設けるようにしたものである。本実施例では、このように表示パネル９−３と機能設定スイッチ１０−３の配置位置について、また、下記のゴムカバー１４で覆う構造について、前述した各実施例と相違している。
【００２８】
本実施例では、ドライブユニット２のホールド面２ａに設けるようにしたものであることから、このドライブユニット２のホールド面２ａは、通常手で支える部位であり、他にスイッチ類がなく、広い表示エリアが確保できるというメリットがある。
また、実施例２と同様に、表示パネルの表示光が直接被写体に照射することがないので、被写体に気が付かれずに撮影する必要のある夜間撮影の時にも支障なく撮影ができ、また近接撮影時においても被写体に反射した表示パネルの光が映像に映り込むことのない撮影が可能となる。
さらに、本実施例では、表示パネル９−３と機能設定スイッチ１０−３を使用しない時には、ゴムカバー１４で覆う構造にしている。これにより、表示パネル９−３を衝撃や雨、埃から守ると同時に、機能設定スイッチを誤って触ることによる誤設定を防ぐことができる。
【００２９】
［実施例４］
図１０は本発明による実施例４を表したものである。
本実施例では、表示スイッチ１１−４を含む表示パネル９−４と機能設定スイッチ１０−４が、レンズ本体のエクステンダー筐体１５に設けられており、これらの点で前述した各実施例と相違している。
エクステンダー筐体１５の内部には、エクステンダーレバー１６の操作に応じてレンズの変倍光学系を挿入及び退避する構造が組み込まれており、通常焦点距離を２倍と等倍に切換える光学系の出し入れをしている。
図１０に示すように、このエクステンダー筐体１５は、レンズ本体１の他の部位と異なり、外形が環状でないために、本実施例によると視認性に優れた大きな平面状の表示パネルを設けることができるメリットがある。
また、カメラマンは一般に被写体に向かってカメラ１２の左側に顔を配置するため、カメラ１２には左側（図７の矢印Ｙで示す面）に図示しないレベルメータ等が設けられている。そのため、本実施例によると、テレビレンズの表示面をカメラ１２の表示部と同一面にすることにより、より視認性に優れた撮影機材を提供することが可能となる。
【００３０】
［実施例５］
図１１及び図１２は本発明による実施例５を表したものである。
本実施例では、表示スイッチ１１−５を含む表示パネル９−５をエクステンダー筐体１５に、そして機能設定スイッチ１０−５をドライブユニット２に設けられており、これらの点で前述した各実施例と相違している。
本実施例によると、機能設定スイッチ１０−５をドライブユニット２に設けることで、テレビレンズに関わる他のスイッチと同様に操作部がドライブユニットのみに集約されるので、使い勝手の良い操作が可能となる。
また、本実施例のように、表示パネル９−５を機能設定スイッチ１０−５と分けてエクステンダー筐体１５の側面部１５ａに設けることにより、実施例４で示した形態より、さらに広く見やすい表示エリアを確保することができる。
【００３１】
［実施例６］
図１３は本発明の実施例６における撮影時の箱型テレビレンズ２０の配置を表したものである。
図１３において、箱型テレビレンズ２０は三脚２１上に配置されたテレビカメラ２２に箱型テレビレンズ２０に具備したマウント筐体２０ａを介して取り付けられており、カメラマン２３は箱型テレビレンズ２０とコネクタ２３ａ、２３ｂ、２３ｃ、ケーブル２４を介して電気的に接続したズームコントローラ２５及びフォーカスコントローラ２６を操作して、箱型テレビレンズ２０内の図示していないＣＰＵにサーボ指令を送信し、テレビレンズの駆動制御系をサーボ制御してズーミング及びフォーカシングを行う。
【００３２】
本実施例は、表示スイッチ１１−６を含む表示パネル９−６と機能設定スイッチ１０−６をマウント筐体２０ａ部に設けたものであり、箱型テレビレンズ２０に装着されたカバー２０ｂの着脱によらず、常に撮影者が表示を確認することができ、なおかつ設定のための操作が可能である。
また、ドライブユニット２を装着したテレビレンズ１と同様に図６に示したズーム特性を変更することが可能であり、この場合、ズームコントローラ２５上の操作リング２５ａの倒し角がドライブユニット上のシーソースイッチ３の押し込み量と対応している。
【００３３】
［実施例７］
図１４〜図１６は本発明の実施例７を表したものである。
本実施例は、図に示すように表示スイッチ１１−７を含む表示パネル９−７と機能設定スイッチ１０−７を、一つの機能設定装置２７内に具備し、コネクタ２８ａ、２８ｂ、２８ｃ、２８ｄを介して、ドライブユニット２や箱型テレビレンズ２０のマウント筐体２０ａから着脱可能としたものである。
この機能設定装置２７は、図１６に示すようにズームコントローラ２５とコネクタ２８ａ、２８ｄを介して着脱可能であり、ズームコントローラ２５に装着時には、ズームコントローラ２５のコネクタ２３ｂ、ケーブル２４を介して箱型テレビレンズ２０内の図示していないＣＰＵと接続し、電気的信号の送受信を行っている。
【００３４】
このように、表示パネル９−７と機能設定スイッチ１０−７をテレビレンズより着脱可能とし、ズームコントローラ上に配置することで、ズームコントローラ操作時における表示パネルの視認性が向上でき、なおかつ撮影中のカメラマンがテレビレンズの機能設定を容易に行うことが可能である。そして、テレビレンズと着脱可能としていることにより、レンズ収納時・運搬時にはテレビレンズと一体化できコンパクトになることから取り扱いの上都合が良い。
また、本実施例では、表示パネル９−７と機能設定スイッチ１０−７を一つの機能設定装置２７としたが、カメラマンが設定の確認のみを行う場合には、表示パネル９−７のみを着脱可能としてもよい。
【００３５】
以上に述べた各実施例では、機能設定スイッチに十字キーを用いた例について述べたが、ジョグシャトルスイッチ等、表示パネルの表示フローに沿って機能が設定できるものであれば如何なる設定スイッチでも構うものではない。
また、表示パネルの用途は、レンズの撮影に関わる機能の設定に用いることや、機能の設定状況の表示に限定することなく、フォーカスやズームあるいはアイリスの位置を表示するレンズ情報表示手段として併せて利用することも可能である。
さらに、上記各実施例では表示パネルと機能設定スイッチをドライブユニットに設けたが、レンズ本体とドライブユニットから構成されるテレビレンズのどの部位に配置しても良い。
【００３６】
このようなレンズの機能設定手段及び表示手段を、アクセサリーとして別途ケーブルを介してドライブユニットに接続する形態も考えられるが、テレビ撮影は撮影状況に応じて撮影機材を三脚に設置することもあれば、肩に担ぐこともあることから、カメラマンは機動性を考慮して必要最小限の機材構成を現場に持ち込むことを望み、上記設定手段をアクセサリーとして設けるのでなく、テレビレンズに常に具備する構成が望ましい姿である。またアクセサリーとして別ユニットで構成することと比較すると、トータルのコストを抑えることができる利点もある。
【００３７】
さらに、本願発明の実施態様として、例えば、以下のような実施態様を示すことができる。
〔実施態様１〕テレビカメラに着脱自在なテレビレンズにおいて、
前記レンズの撮影に関する各種の機能あるいはレンズ情報等を表示する表示手段と、該表示手段に表示されたレンズの撮影に関する各種の機能の選択あるいはレンズ情報の設定等を行う選択設定手段と、を有することを特徴とするテレビレンズ。
〔実施態様２〕前記レンズの撮影に関する各種の機能を作動させる複数の操作手段を有し、前記表示手段と前記選択設定手段により、前記複数の操作手段に前記レンズの撮影に関する各種の機能を任意に割り当て可能に構成されていることを特徴とする実施態様１に記載のテレビレンズ。
〔実施態様３〕前記レンズの撮影に関する各種の機能を作動させる複数の操作手段に対する前記各種の機能の割り当てを、無効とする設定が可能に構成されていることを特徴とする実施態様２に記載のテレビレンズ。
〔実施態様４〕前記テレビレンズは、ズームを電気駆動する操作部材を有し、前記表示手段と選択設定手段により前記操作部材の操作量とズームスピードの関係を決定するパラメータの設定が可能に構成されていることを特徴とする実施態様１〜３のいずれかに記載のテレビレンズ。
〔実施態様５〕前記表示手段は、前記複数の操作への前記レンズの撮影に関する各種の機能の割り当て内容、または前記設定パラメータの表示が可能に構成されていることを特徴とする実施態様２〜４のいずれかに記載のテレビレンズ。
〔実施態様６〕前記テレビレンズは、テレビカメラに着脱自在なレンズ本体部と該レンズ本体部の撮影光学系を電動駆動するための駆動部材を内蔵する前記レンズ本体に着脱自在なドライブユニットで構成され、
これらの構成部のいずれかに前記表示手段と前記選択設定手段が設けられていることを特徴とする実施態様１〜５のいずれかに記載のテレビレンズ。
〔実施態様７〕前記表示手段と前記選択設定手段が、前記ドライブユニットの上面に設けられていることを特徴とする実施態様６に記載のテレビレンズ。
〔実施態様８〕前記表示手段と前記選択設定手段が、前記ドライブユニットの被写体側とは反対側のカメラ側の側面に設けられていることを特徴とする実施態様６に記載のテレビレンズ。
〔実施態様９〕前記表示手段と前記選択設定手段が、手でホールドできるホールド面を有するドライブユニットの該ホールド面に設けられていることを特徴とする実施態様６に記載のテレビレンズ。
〔実施態様１０〕前記表示手段と前記選択設定手段が、前記撮影光学系の光路途中に挿入及び退避可能な光学系を内蔵するエクステンダー手段を有するレンズ本体部の該エクステンダー手段の筐体に設けられていることを特徴とする実施態様６に記載のテレビレンズ。
〔実施態様１１〕前記表示手段が前記撮影光学系の光路途中に挿入及び退避可能な光学系を内蔵するエクステンダー手段を有するレンズ本体部の該エクステンダー手段の筐体に設けられ、前記選択設定手段が前記ドライブユニットに設けられていることを特徴とする実施態様６に記載のテレビレンズ。
〔実施態様１２〕前記テレビレンズは、テレビカメラに着脱自在に取付け可能であり、撮影光学系と前記撮影光学系を電動駆動するための駆動部材とを内蔵するレンズ本体部を有し、該レンズ本体部はテレビカメラに着脱するためのマウント手段を備え、前記表示手段と前記選択設定手段を該マウント手段の筐体に設けることを特徴とするテレビレンズ。
〔実施態様１３〕前記表示手段あるいは前記選択設定手段を覆うカバー手段を有し、前記表示手段の視認や前記選択設定手段の操作に際して、前記カバー手段を取り外して視認あるいは操作することを特徴とする実施態様１〜１２のいずれかに記載のテレビレンズ。
〔実施態様１４〕前記表示手段及び／または前記選択設定手段が、前記テレビレンズに対して着脱可能に構成されていることを特徴とする実施態様１〜１３のいずれかに記載のテレビレンズ。
〔実施態様１５〕前記表示手段及び／または前記選択設定手段が、機能設定装置内に設けられ、機能設定装置を前記テレビレンズに対して着脱可能に構成したことを特徴とする実施態様１〜１３のいずれかに記載のテレビレンズ。
【００３８】
【発明の効果】
本発明によれば、テレビレンズを制御する上での各種設定状況あるいはレンズ情報等を瞬時に把握することができ、操作性に優れた機能の設定が可能となる、使い勝手の良いテレビレンズを実現することができる。
【図面の簡単な説明】
【図１】本発明の実施例１におけるテレビレンズの外観図。
【図２】本発明の実施例１における被写体側から見たテレビレンズの外観図。
【図３】本発明の各実施例におけるテレビレンズに設けられた表示パネルの拡大図。
【図４】本発明の各実施例におけるテレビレンズに設けられた機能設定スイッチの拡大図。
【図５】本発明の各実施例におけるテレビレンズに設けられた表示パネルの拡大図。
【図６】本発明の各実施例におけるテレビレンズに設けられた表示パネルを用いて、ズーム操作による特性設定をする時の説明のための表示画面を表す図。
【図７】本発明の実施例２におけるテレビレンズの外観図。
【図８】本発明の実施例２における被写体側から見たテレビレンズの外観図。
【図９】本発明の実施例３における表示パネルと機能設定スイッチがドライブユニットのホールド面に設けられた構成を示す図。
【図１０】本発明の実施例４における表示パネルと機能設定スイッチがエクステンダー筐体に設けられた構成を示す図。
【図１１】本発明の実施例５における表示パネルがエクステンダー筐体に、機能設定スイッチがドライブユニットに設けられた構成を説明するための図。
【図１２】本発明の実施例５における表示パネルがエクステンダー筐体に、機能設定スイッチがドライブユニットに設けられた構成を説明するための図。
【図１３】本発明の実施例６における表示パネルと機能設定スイッチがマウント手段の筐体に設けられた構成を示す図。
【図１４】本発明の実施例７における表示パネルと機能設定スイッチを一つの機能設定装置に具備させ、テレビレンズに着脱可能とした構成を説明するための図。
【図１５】本発明の実施例７における表示パネルと機能設定スイッチを一つの機能設定装置に具備させ、テレビレンズに着脱可能とした構成を説明するための図。
【図１６】本発明の実施例７における表示パネルと機能設定スイッチを一つの機能設定装置に具備させ、テレビレンズに着脱可能とした構成を説明するための図。
【符号の説明】
１：レンズ本体
２：ドライブユニット
３：シーソースイッチ
４：リターンスイッチ
５：ＶＴＲスイッチ
６：機能スイッチＡ
７：メモリースイッチ
８：機能スイッチＢ
９−１〜９−７：表示パネル
１０−１〜１０−７：機能設定スイッチ
１１−１〜１１−７：表示スイッチ
１２：カメラ
１５：エクステンダー筐体
２０：箱形テレビレンズ
２１：三脚
２２：テレビカメラ
２３：カメラマン
２３ａ，２３ｂ，２３ｃ：コネクタ
２４：ケーブル
２５：ズームコントローラ
２６：フォーカスコントローラ
２７：機能設定スイッチ
２８ａ，２８ｂ，２８ｃ，２８ｄ：コネクタ
【図１】
2004294685.tif 000003
【図２】
2004294685.tif 000004
【図３】
2004294685.tif 000005
【図４】
2004294685.tif 000006
【図５】
2004294685.tif 000007
【図６】
2004294685.tif 000008
【図７】
2004294685.tif 000009
【図８】
2004294685.tif 000010
【図９】
2004294685.tif 000011
【図１０】
2004294685.tif 000012
【図１１】
2004294685.tif 000013
【図１２】
2004294685.tif 000014
【図１３】
2004294685.tif 000015
【図１４】
2004294685.tif 000016
【図１５】
2004294685.tif 000017
【図１６】
2004294685.tif 000018